(57)【特許請求の範囲】
【請求項１】
裏面の側に凹部が形成された平板状の透明部材と、
前記透明部材の一側面の側より照明する光源と、を有し、
前記透明部材の内部を通過した前記光源による光で前記凹部を照明する照明装置において、
前記光源の光軸を前記透明部材の裏面に略直交するように配設し、
前記透明部材の表面の側で前記光源に対向するように第１の傾斜面を形成し、かつ前記凹部に前記裏面から前記透明部材の厚さ方向に凹曲面を有する第２の傾斜面を設け、
前記透明部材の前記光源の光が入射される入光面を、円筒曲面をなす円筒面凸部の凸レンズとして形成し、かつ前記凹曲面を、円筒凹曲面かつ梨地加工面として形成し、
前記凹部と前記光源の間の前記透明部材の裏面に、前記光の向きを規制して光を前記凹部に向かわせる一対の長溝を設け、
前記光源の光を前記第１の傾斜面に反射させて前記透明部材の内部の略面方向に導き、前記一対の長溝の側面で反射させて前記第２の傾斜面の凹曲面を照光させる
照明装置。
【請求項２】
平板状の透明部材を映像表示面の周囲の少なくとも一部に有するフロント部材を前面に設けた映像表示装置において、
前記透明部材の一側面に第１の傾斜面を形成し、
前記透明部材の裏面から前記透明部材の厚さ方向に、凹曲面を有する第２の傾斜面を備えた凹部を設け、
前記凹部の第２の傾斜面の照明を行う光源を、前記第１の傾斜面に対向し光軸が前記透明部材の裏面に略直交するように配設し、
前記透明部材の前記光源の光が入射される入光面を、円筒曲面をなす円筒面凸部の凸レンズとして形成し、かつ前記凹曲面を、円筒凹曲面かつ梨地加工面として形成し、
前記凹部と前記光源の間の前記透明部材の裏面に、前記光の向きを規制して光を前記凹部に向かわせる一対の長溝を設け、
前記光源の光を前記第１の傾斜面に反射させて前記透明部材の内部の略面方向に導き、前記一対の長溝の側面で反射させて前記第２の傾斜面の凹曲面により広視野角の照光を行わせる
映像表示装置。
【発明の詳細な説明】
【技術分野】
【０００１】
本発明は、例えば電子機器のパネルの表示などの文字や記号を照明するようにした照明装置及びこの照明装置を適用した液晶パネルやＰＤＰ（Plasma Display Panel:プラズマディスプレイパネル）などを使用したフラットパネルディスプレイやフラットパネルカラーテレビジョン受像機などの映像表示装置に関する。
【背景技術】
【０００２】
従来、電子機器の前面パネルの透明部分に予め定められた機能を表示するための光反射部を設け、この光反射部を発光部からの光で明るく照光させるようにしたものがある。例えば、前面パネルの光反射部を緑色に照光して、ユーザに電子機器の電源ＯＮの状態を視認させるように用いるものである。
【０００３】
従来知られている透明板上の光反射部を発光させる技術として特許文献１に開示されているものがある。
特許文献１には、発光部から発光する光を、透光性部材の側面から入力してその光を光反射部により透光性部材の外部に表示することができる光反射表示方法、光反射表示装置および電子機器に関するものが記載されている。
この特許文献１の光反射表示方法は、発光部から発生する光を、平板状の透光性を有する透光性部材の側面からこの透光性部材内に入力して、透光性部材に形成されている光反射部により光を反射させてこの光を透光性部材の外部に表示するものである。
そして、発光部を直接設けることができない透光性部材において、発光部の光が透光性部材においてあたかも光っているかのように光を反射させて透光性部材の外部に表示させるようにしている。
【特許文献１】特開２００４−６１９２２号公報（第２頁，図２，図３）
【発明の開示】
【発明が解決しようとする課題】
【０００４】
しかしながら、特許文献１記載の光反射表示方法では、照明光を出射する発光ダイオード（ＬＥＤ）から透光性部材に形成される光反射部に到達する間に、光の拡散や透光性部材の内部材質起因の散乱や吸収などにより、光軸に対する光の強度分布が平準化されるとともに低下する。このため、電子機器を暗所で用いるようなときに照光の有無を確認するには十分な照度であっても、室内などの比較的明るい場所では照光不足のため、例えば電子機器の動作状態を視認しにくくなるという不都合がある。
また、この光反射表示方法では、光反射部の表面に梨地状に光拡散のための小さな凹凸が形成され、外観形状が半球状凹部、１／４円筒状凹部、傾斜面を有する凹部、に形成される。このため、透光性部材に対して垂直方向、すなわち正面方向から透光性部材の光反射部を見るときは、光反射部の照光状態を比較的明瞭に確認できるものの、見る角度を僅か変えただけで急に見にくくなる不都合がある。
【０００５】
本発明はかかる点に鑑み、透明部材に設けられた光反射部を十分明るく照光し視認できる角度を広く取ることができるようにした照明装置及びこの照明装置を適用した映像表示装置を提案するものである。
【課題を解決するための手段】
【０００６】
上記課題を解決するため、本発明照明装置は、裏面の側に凹部が形成された平板状の透明部材と、透明部材の一側面の側より照明する光源と、を有し、透明部材の内部を通過した光源による光で凹部を照明する照明装置において、光源の光軸を透明部材の裏面に略直交するように配設し、透明部材の表面の側で光源に対向するように第１の傾斜面を形成し、かつ凹部に裏面から透明部材の厚さ方向に凹曲面を有する第２の傾斜面を設け、透明部材の光源の光が入射される入光面を、円筒曲面をなす円筒面凸部の凸レンズとして形成し、かつ凹曲面を、円筒凹曲面かつ梨地加工面として形成し、凹部と光源の間の透明部材の裏面に、光の向きを規制して光を凹部に向かわせる一対の長溝を設け、光源の光を第１の傾斜面に反射させて透明部材の内部の略面方向に導き、一対の長溝の側面で反射させて第２の傾斜面の凹曲面を照光させるものである。
【０００７】
また、上記課題を解決するため、本発明映像表示装置は、平板状の透明部材を映像表示面の周囲の少なくとも一部に有するフロント部材を前面に設けた映像表示装置において、透明部材の一側面に第１の傾斜面を形成し、透明部材の裏面から透明部材の厚さ方向に、凹曲面を有する第２の傾斜面を備えた凹部を設け、凹部の第２の傾斜面の照明を行う光源を、第１の傾斜面に対向し光軸が透明部材の裏面に略直交するように配設し、透明部材の  光源の光が入射される入光面を、円筒曲面をなす円筒面凸部の凸レンズとして形成し、かつ凹曲面を、円筒凹曲面かつ梨地加工面として形成し、凹部と光源の間の透明部材の裏面に、光の向きを規制して光を凹部に向かわせる一対の長溝を設け、光源の光を第１の傾斜面に反射させて透明部材の内部の略面方向に導き、一対の長溝の側面で反射させて第２の傾斜面の凹曲面により広視野角の照光を行わせるものである。
【０００８】
このように構成した本発明照明装置及び映像表示装置によれば、光源から出射された光は、円筒曲面をなす円筒面凸部の凸レンズとして形成された入光面から透明部材内に入光され、先ず第１の傾斜面で透明部材の内部の面方向に反射されたのち、透明部材に設けた一対の長溝により反射されて凹部に向かわされ、更に、第２の傾斜面を照光し、照光された第２の傾斜面の円筒凹曲面かつ梨地加工面として形成された凹曲面により透明部材の表面方向のより広い領域に反射させられ、第２の傾斜面の照光状態を広い角度範囲から確認することができる。
【発明の効果】
【０００９】
本発明照明装置及び映像表示装置によれば、透光性部材に設けられた第２の傾斜面を広い角度から視認することができる。
【発明を実施するための最良の形態】
【００１０】
本発明の一実施の形態の映像表示装置の例を、図１〜図１７を参照して説明する。
【００１１】
図３は本例による映像表示装置の正面側斜視図を示し、図４はこの映像表示装置の背面側斜視図を示す。本例は液晶ディスプレイパネルに適用したものである。
【００１２】
図３において、１は映像表示面の前面の周囲に配されたフロント部材であるフロント組立体を示し、２は液晶パネルの映像表示画面である。図４において３はリアーカバーを示し、このフロント組立体１とリアーカバー３との間に図示しない液晶パネル本体、その駆動回路、チューナ部、スピーカ等が組み込まれる。
本例においては、この映像表示装置の映像表示画面を例えば４６インチとし、この奥行きを例えば９．８ｃｍと極めて薄く作製される。
【００１３】
このフロント組立体１は、図１及び図２に示すように構成される。図１は、このフロント組立体１の斜視図で、図２はこのフロント組立体１の前面側から見た分解斜視図である。
【００１４】
図１，図２において、１０，１１，１２は、それぞれ映像表示画面と略同じ大きさの開口を有する略左右対称の矩形の枠体である、アウターフレーム，インナーフレーム，カバーフレームを示し、フロント組立体１は、これらアウターフレーム１０，インナーフレーム１１，カバーフレーム１２及びサッシ２０から構成される。ここで、サッシ２０は、アウターフレーム１０の外縁４辺に枠状に設けられるものでサッシ辺２０ａ，２０ａ，２０ｂ，２０ｂからなる。
【００１５】
アウターフレーム１０は、図２に示すように、例えばアクリル樹脂（メタクリル酸メチル樹脂）やポリカーボネート樹脂などの透明度の大きい材料を用いて射出成形などにより略矩形透明枠形状に形成される。そして、後述するインナーフレーム１１と一体に固定するためのねじ挿通孔と、リアーカバー３を組み付けるときのねじ挿通孔とが形成される。
また、アウターフレーム１０の矩形透明枠の下枠部には、図３に示すように、略中央に社名や商標などの被表示物（図３例では、「ＡＢＣＤ」）１４が印刷され、右側にセンサ受光部１５とインジケータ１６が設けられる。
ここで、センサ受光部１５は赤外線などによるリモートコントローラの信号を受光するもので、インジケータ１６は、電源ＯＮ／ＯＦＦ状態やタイマー設定の有無などを発光部の照光状態により表示するものである。
【００１６】
インナーフレーム１１は、例えばポリカーボネート樹脂やＡＢＳ樹脂などの成形性の良好な材料で射出成形により形成し、枠体の図２に示す左右に、スピーカを露呈する開口１１Ｌ及び１１Ｒが一体に形成され、例えばその後光沢塗装を施すようにする。また、アウターフレーム１０と固定するためのねじ孔と、後述するカバーフレーム１２を着脱自在に装着するための係合孔が設けられる。
カバーフレーム１２は、例えばポリカーボネート樹脂やＡＢＳ樹脂などの成形性が良好で形状安定性のよい材料で射出成形により、インナーフレーム１１と略同じ枠寸法に形成し、図２に示す背面の側にインナーフレーム１１と着脱自在に装着するための図示しない係合爪が設けられる。
サッシ２０は、アルミニウムなどの金属による断面が略コの字形状の、２本の長いサッシ辺２０ａ，２０ａと２本の短いサッシ辺２０ｂ，２０ｂからなるものである。
【００１７】
このように構成されるフロント組立体１は、アウターフレーム１０にインナーフレーム１１がねじで固定され、インナーフレーム１１の係合孔にカバーフレーム１２の係合爪が挿入されることで、カバーフレーム１２がインナーフレーム１１に着脱自在に装着される。そして、矩形枠体であるアウターフレーム１０の４つの周縁にサッシ辺２０ａ，２０ａ，２０ｂ，２０ｂが固定される。なお、カバーフレーム１２のインナーフレーム１１への取付けにより、スピーカ取付部１１Ｌ，１１Ｒを含むインナーフレーム１１の前面側の略全面が覆われて外観上すっきりした印象を与えるようにしている。
【００１８】
このようなフロント組立体１を有する液晶パネルディスプレイは、先ず、液晶パネル２（図３参照）の背面側に図示しない金属フレームによる補強部材を組付ける。それから、アウターフレーム１０の矩形の開口から液晶パネル２の前面が露呈されるようにした状態でリアーカバー３（図４参照）により背面を覆い、このリアーカバー３と補強部材を固定する。そして、リアーカバー３とインナーフレーム１１とで、アウターフレーム１０とをねじで挟持・固定する。そして、インナーフレーム１１にカバーフレーム１２を設け、アウターフレーム１０の周縁にサッシ辺２０ａ，２０ａ，２０ｂ，２０ｂを固定する。
最後に、図３及び図４に示すように、スタンド９に液晶パネルディスプレイを固定し液晶パネルディスプレイ装置とする。
【００１９】
本例の液晶パネルディスプレイ装置は、液晶パネル２の映像表示画面の周りに矩形枠状のカバーフレーム１２が配され、その外周にアウターフレーム１０の透明枠部が露呈され、この透明枠の外縁にサッシ２０が設けられる。このため、液晶パネル２があたかも浮遊しているような見映えを有し、かつカバーフレーム１２を着脱自在に装着できるため、例えば種々の色・模様のカバーフレーム１２を交換して容易にユーザの好みに変更し楽しむことができる。
なお、図３の例では、透明なアウターフレーム１０を表示画面の上下左右全ての全周に設けたが、下部などの一部の面だけを透明にしてもよい。
【００２０】
次に、図３に示す液晶パネルディスプレイ装置のアウターフレーム１０に設けられるインジケータ１６となる発光部の照明装置を、図５〜図１６を参照して説明する。
【００２１】
始めに、アウターフレーム１０の発光部の領域となる照光形成部を、図５及び図６を参照して説明する。
図５Ａ及び図５Ｂは、図３に示すアウターフレーム１０の下側の枠の３つのインジケータ１６の発光部が配される形成領域について、この形成領域の両側を破断して示したものである。図５Ａは発光源となるＬＥＤが実装された基板を合わせて記した、前面側から見た分解斜視図、図５Ｂは背面から見た斜視図である。
また、図６は図５に示すインジケータ１６の内１つについての照光形成部を示し、図６Ａは平面図、図６Ｂは正面図、図６Ｃは側断面図、図６Ｄは背面図である。なお、図６Ａ〜Ｄにおいて１０ａは照光形成部を示し、図中の２点鎖線は光源となるＬＥＤ１３である。
【００２２】
アウターフレーム１０のインジケータ１６が形成される領域には、図５Ａの２点鎖線で示すように、配線基板１５が組み込まれる。この配線基板１５は、図５Ａに示すように、下面に光源となる３つのＬＥＤ１３と赤外線センサ１４が実装され、この配線基板１５に２つの開孔１５ａ，１５ｂが形成される。
アウターフレーム１０の上側には、配線基板１５に合わせて大きな切欠きが設けられ、所定形状を有する照光形成部１０ａが形成され、図５Ｂに示す背面の両端側のそれぞれに、先端に係合爪を有する突起１０ｉとＶ字状切欠きを有する突起１０ｊが設けられる。そして、この２つの突起１０ｊのＶ字状切欠きに配線基板１５が挟持されるとともに、２つの突起１０ｉの係合爪が配線基板１５の開孔１５ａ，１５ｂに係合して、配線基板１５がアウターフレーム１０に保持される。
そして、例えば、３つのＬＥＤ１３が、それぞれタイマーＯＮ／ＯＦＦ表示、スタンバイ状態表示、電源ＯＮ／ＯＦＦ表示などとして用いられる。
【００２３】
次に、アウターフレーム１０の１つのＬＥＤ１３に対応する部分を抜出して照光形成部１０ａを説明する。
照光形成部１０ａは、例えば、図６Ｃに示すように、枠の高さＨがＨ＝５０ｍｍで、下部の板厚ｔ０がｔ０=３．５ｍｍの透明部材の背面１０-2の上部に線対称形状なす突部１０ｃ，１０ｃ’が設けられる。
この突部１０ｃ，１０ｃ’は、図６Ｃに示すように、前面１０-1側からの厚さｔ１が、例えばｔ1＝７ｍｍとなるように形成される。そして、この突設部１０ｃ，１０ｃ’の前面１０-1の側の上端に、第１の傾斜面である光沢を有する平面による斜面１０ｂが設けられる。
ここで斜面１０ｂは、斜面１０ｂの光軸Ｌ０に対する傾斜角θをθ＝４５°に形成される。これは、ＬＥＤ１３の斜面１０ｂでの反射光の多くを照光形成部１０ａの透明部材内に導くためである。
また、照光形成部１０ａの背面１０-2側の突部１０ｃ，１０ｃ’の間に、図５Ｂ及び図６Ａに示すように、円筒曲面を有する円筒面凸部１０ｆが形成される。これにより、斜面１０ｂとこの円筒面凸部１０ｆとの間で透明部材による光の集光レンズ部が形成される。
そして、突部１０ｃ，１０ｄの背面１０-2側の下部を、図６Ｃに示すように、面取りして傾斜面１０ｇ，１０ｇ’を形成し、さらに、傾斜面１０ｇ，１０ｇ’の下側に２つの長溝１０ｄ，１０ｄ’が形成される。この長溝１０ｄ，１０ｄ’は、下端の位置が上述のカバーフレーム１２により覆われ、正面から見えないように形成される。
【００２４】
ここで、透明部材の照光形成部１０ａ領域の形状を、図７〜図１０に示す形成手順の例を参照して説明する。
図７Ａ〜Ｃ及び図８Ｄ〜Ｆは照光形成部１０ａ領域の形成を順を追って示す斜視図であり、また、図９Ａ〜Ｃ及び図１０Ｄ〜Ｇは、図７Ａ〜Ｃ及び図８Ｄ〜Ｆに示す斜視図に対応する平面図（上図）と側断面図（下図）である。なお、図７〜図１０は、本例における照光形成部１０ａ領域の形状が比較的複雑であるための説明図であり、実際には射出成形などで一括形成される。
【００２５】
照光形成部１０ａの領域は、図７Ａ及び図９Ａに示すように、高さＨで厚さｔ０の透光性部材１００の、裏面１００-2側の上側に厚さｔ１で高さＨ１の肉厚部が形成される。この透光性部材１００の上面１００-3側から２点鎖線で示す直方体ｍを削除し、面１００-4を形成する（図７Ｂ及び図９Ｂ）。そして、図７Ｃ及び図９Ｃに示すように、肉厚部の略中央の直方体凸部ｎのみが突設されるように、周りの領域の肉厚がｔ０となるように加工する。
次に、透光性部材１００の表面１００-1側から面１００-4の直方体凸部ｎ側に対して、図８Ｄ及び図１０Ｄに示すように、斜面１０ｂを形成する。ここで、斜面１０ｂの角度θは、表面１００-1に対してθ＝４５°となるように形成される。
そして、図８Ｄに示す裏面１００-2側の直方体凸部ｎの下の面１００-5と面１００-6との間の角部を面取りし斜面１０ｇを形成する（図８Ｅ及び図１０Ｅ）。これにより、図８Ｄに示す下の面１００-5は除去され、面１００-6の上側の一部だけが残され、直方体凸部ｎは横臥する断面五角形の柱形状に加工される。
次に、断面五角形柱の略中央部に、図８Ｆ及び図１０Ｆに示すように、円筒面凸部１０ｆを形成すると共に、側面１００-7，１００-7の側に拡がるように面取りし壁１００-8，１００-8を設け凸部１０ｃ，１０ｃ’を形成する。
そして、透光性部材１００の裏面１００-2側で、円筒面凸部１０ｆの直下に、図８Ｇ及び図１０Ｇに示すように、下方に延設された切欠き溝である長溝１０ｄ，１０ｄ’を形成し、さらに円筒面凸部１０ｆの中心線上の下側に凹部１０ｅを形成する。
ここで、凹部１０ｅは、図８Ｇ及び図１０Ｇに示すように、上側に略円筒曲面状の斜面を有する不図示の楔状突起が押付けられて形成されたような凹部形状をなす。このため、楔状突起が押付けられて形成された凹部１０ｅの斜面１０ｈは略円筒凹曲面をなし、この曲面上に梨地面加工が施されて表面に微小な凹凸が形成される。
ここで、図１０Ｇに示す矢印のように、凹部１０ｅの、法線が斜め上方に向かう斜面１０ｈが第２の傾斜面である。
以上のように、照光形成部１０ａの形状は、上述図７〜１０例の作業の結果得られるものである。
なお、凹部１０ｅの斜面１０ｈの梨地面加工は、アウターフレーム１０を成形するときに同時に行うのが工程上有利であるが、成形後に斜面１０ｈのみをサンドブラスト法などにより別途加工してもよい。
【００２６】
ここで、本例の透光性部材１００に設けられる、図６Ｃ及び図１０Ｇに示す凹部１０ｅの形状を、図１１を参照して説明する。なお、凹部１０ｅは上述のように楔状突起が押付けられて形成された形状をなすので、以下では、先端が楔状をなす押し型について説明する。
図１１は凹部１０ｅを形成するための押し型を示し、図１１Ａは斜視図、図１１Ｂは平面図、図１１Ｃは側面図である。
図１１Ａ〜Ｃにおいて１５０は、先端が楔状をなす押し型を示し、図１１Ｂ及び図１１Ｃに示すように、押し型１５０は断面が高さｈ，幅ｗ、長さがＬの直方体の先端部に角度φをなす斜面１５０-1が設けられる。そして、斜面１５０-1の面が図１１Ｂに示すように、略円筒面とされ表面が梨地加工される。
この先端部の形状は、例えばｈ＝２．２ｍｍ、ｗ＝２．４ｍｍ、φ＝４２°とし、図１１Ｂに示すように、幅ｗ＝２．４ｍｍの両端に対して中央をｓ＝０．３ｍｍだけ膨らませるように、先端部に略円筒面をなす曲面を形成する。なお、実際に作製される押し型１５０の、斜面１５０-1が形成される先端部には、食い込んでいる樹脂からこの押し型１５０を抜くための抜き勾配が設けられる。
そして、この押し型１５０に対応する形状の凹部、つまり略円筒凹曲面をなす斜面１０ｈを有する凹部１０ｅが透光性部材１００に形成される。図１２Ａ〜Ｃは、このようにして形成された凹部１０ｅの平面図，左側断面図，正面図である。
【００２７】
以下、このように形成された本例のアウターフレーム１０の照光形成部１０ａにおいて発光部となる凹部１０ｅの斜面１０ｈにおける光の反射について、図６，図１３〜図１７を参照して説明する。  
なお、本例で光源となるＬＥＤ１３は、上述のようにアウターフレーム１０の前面１０-1に対してその光軸Ｌ０が略直交するように配設されていることを前提に説明する（図６参照）。
【００２８】
始めに、アウターフレーム１０の照光形成部１０ａの裏面１０-2側に設けられる長溝１０ｄ，１０ｄ’について図６，図１３を参照して説明する。
長溝１０ｄ，１０ｄ’は、図６Ｂ及びＤに示すように、中心線Ｌに線対称で大きさが幅ｕ，長さｖ，深さｐの矩形断面の長溝とし、例えば長溝１０ｄ，１０ｄ’の両下端部が両上端部より小さくなる、下すぼまりとなるように形成される。この長溝１０ｄ，１０ｄ’は、図６Ａに示す斜面１０ｂで反射され下方に向かう光を集光し、裏面１０-2側の凹部１０ｅに向かう光が多くなるようにしている。
【００２９】
この長溝１０ｄ，１０ｄ’と凹部１０ｅに向かう光の関係について図１３を参照して説明する。図１３Ａは長溝１０ｄ，１０ｄ’がないときの光路、図１３Ｂは、長溝１０ｄ，１０ｄ’が形成されているときの光路の説明図である。また、図１３Ｃは、図１３Ａ及びＢにおける説明図での、光源（ＬＥＤ１３）からの光の入射部を示す斜視図である。
ここで、ＬＥＤ１３から出射された光は、図１３Ｃに示すように、アウターフレーム１０の表裏面１０-1，１０-2に略平行で平面形状でとされた入光面１０ｋに入射するものとして説明する。
長溝１０ｄ，１０ｄ’がないとき、図１３Ａに示すように、光源から出射された光は斜面１０ｂで下方に反射されるが、光源が光軸に対してある程度の広がりをもつＬＥＤ１３であるため、光は斜面１０ｂでの反射後さらにアウターフレーム１０内部の面方向にも広く拡がるものとなる。
一方、図１３Ｂに示す長溝１０ｄ，１０ｄ’が形成されているとき、図１３Ａのときと同様に、ＬＥＤ１３からの光が斜面１０ｂで反射されるものの、透光性部材１０内部の面方向に広く拡がるように反射された光が途中で、長溝１０ｄ，１０ｄ’の側面で再度反射され、透光性部材１０の裏面１０-2側に設けられる凹部１０ｅの側に向かうようにすることができる。
このように、長溝１０ｄ，１０ｄ’が形成されることによって、凹部１０ｅを照光させる光量を増すことができる。
【００３０】
次に、照光形成部１０ａでの光路について、図１４〜図１７を参照して説明する。
図１４〜図１７は、照光形成部１０ａの種々の形態に対して、光路と、凹部１０ｅにより反射される光の透光性部材１０の表面１０-1側での強度分布とを概念的に示した説明図で、それぞれＡ図が照光形成部１０ａの断面模式図、Ｂ図が凹部１０ｅの平面投影図とその反射光の説明図、Ｃ図が凹部１０ｅで反射光の強度分布を説明する模式図である。
なお、以下では、長溝１０ｄ，１０ｄ’は既に形成されているものとし、斜面１０ｂで反射された光は、照光形成部１０ａ内部の略下方の凹部１０ｅ側に向かうものとする。また、簡単のため斜面１０ｂと凹部１０ｅの斜面１０ｈは、照光形成部１０ａの表裏面１０-1，１０-2に対して４５°をなす（θ＝φ＝４５°）ものとして説明する。
透光性部材１０の凹部１０ｅの斜面１０ｈの中心を原点Ｏとし、座標軸ｘｙｚを図１４Ｃに示すように定める。
【００３１】
図１４は、ＬＥＤ１３からの光の入光面１０ｋが平面で、凹部１０ｅの斜面１０ｈが平面かつ光沢面としたときの光路と斜面１０ｈでの反射の様子を示したものである。ＬＥＤ１３から拡がりながら入光面で屈折して入射した光は、図１４Ａに示すように、斜面１０ｂで略下方に反射され、この反射光の一部が斜面１０ｈでｚ軸の方向に反射される。このとき、斜面１０ｈを上から見た図１４Ｂ及び斜めから見た図１４Ｃに示すように、反射光の強度はｚ軸方向にピークを有する分布となる。
【００３２】
図１５は、ＬＥＤ１３からの光の入光面１０ｋが平面で、凹部１０ｅの斜面１０ｈが平面かつ梨地加工面としたときの光路と斜面１０ｈでの反射の様子を示したものである。ＬＥＤ１３から拡がりながら入光面で屈折して入射した光は、図１５Ａに示すように、斜面１０ｂで略下方に反射され、この反射光の一部が梨地面とされた斜面１０ｈでｚ軸を中心とした方向に反射される。このとき、図１５Ｂ及び図１５Ｃに示すように、反射光はｚ軸方向にピークを有するものの、図１４例よりピークが小さく、乱反射によるｘｚ及びｙｚ平面方向の成分も有するため、反射される方向がより広い強度分布となる。
【００３３】
図１６は、ＬＥＤ１３からの光の入光面１０ｋが平面で、凹部１０ｅの斜面１０ｈが円筒凹曲面かつ梨地加工面としたときの光路と斜面１０ｈでの反射の様子を示したものである。ＬＥＤ１３から拡がりながら入光面で屈折して入射した光は、図１６Ａに示すように、斜面１０ｂで略下方に反射され、この反射光の一部が梨地面とされた凹曲面を有する斜面１０ｈで反射される。このとき、図１６Ｂ及び図１６Ｃに示すように、反射光はｚ軸方向にピークを有するものの、図１５例よりさらにピークが小さく、乱反射によるｘｚ及びｙｚ平面方向の成分が比較的大きく、反射の方向がより広い強度分布となる。
【００３４】
図１７は、ＬＥＤ１３からの光の入光面が円筒曲面をなす円筒面凸部１０ｆの凸レンズで、凹部１０ｅの斜面１０ｈが円筒凹曲面かつ梨地加工面としたときの光路と斜面１０ｈでの反射の様子を示したものである。図１７Ａに示すように、ＬＥＤ１３から拡がりながら入光面で屈折して平凸レンズで集光された入射した光は、斜面１０ｂで略下方に反射され、この反射光の一部が梨地面とされた凹曲面を有する斜面１０ｈで反射される。このとき、図１７Ｂ及び図１７Ｃに示すように、斜面１０ｈに入射される光量は凸レンズの集光効果により多くなる。このため、斜面１０ｈでの反射光は、図１６例に比べ全体に大きな強度分布を有するようになる。
【００３５】
すなわち、照光形成部１０ａの構造として、図１７例によるＬＥＤ１３からの光の入光面が円筒曲面をなす円筒面凸部１０ｆの凸レンズで、凹部１０ｅの斜面１０ｈが円筒凹曲面かつ梨地加工面としたものが、より広範囲の角度から斜面１０ｈの照光状態を視認することができ、また照度も十分確保することができる。
なお、図１４〜図１７での説明では斜面１０ｈの表裏面１０-1，１０-2となす角度φをφ＝４５°として説明したが、実際の角度φは、照光形成部１０ａは図３に示すようにフラットディスプレイパネル装置のアウターフレーム１０の映像表示画面２より下の部分に配設されるので、視聴するときのユーザの席からの標準的な距離と視認性を考慮して、例えば上述のようにφ＝４２°などと決められる。
【００３６】
このように構成した照明装置では、ＬＥＤ１３から出射された照射光が、円筒面凸部１０ｆによる凸レンズでｘ方向に偏平に集光されて、さらに光沢面の斜面１０ｂで略９０°の角度で反射されて照光形成部１０ａの下方に進む。そして、斜面１０ｂでの反射光の一部は、凹部１０ｅの傾斜面１０ｈを照光し、この照光による光が梨地加工された円筒凹曲面で乱反射されて前面１０-1の側に至り、アウターフレーム１０の前面側から凹部１０ｅの発光の有無を確認することができるようになされる。
このとき、本例の照明装置の照光形成部１０ａでは、光沢面の斜面１０ｂの下側で、透光性を有するアウターフレーム１０の裏面１０-2の側に２本の長溝１０ｄ，１０ｄ’を設けたので、従来の透明板内での照明光に比べ、アウターフレーム１０内での凹部１０ｅに向かう光の成分を多くし、凹部１０ｅの斜面１０ｈに入射する光量を多くすることができる。つまり、アウターフレーム１０の背面１０-2側に設けられた発光部となる斜面１０ｈを、ＬＥＤ１３から発せられた光で効率的に照光することができる。
そして、表面１０-1の側から見たとき、発光部があたかもアウターフレーム１０の透明枠内で浮遊したようにすることができる。
【００３７】
本例の照明装置及び映像表示装置によれば、ＬＥＤ１３から出射された照射光が、円筒面凸部１０ｆによる凸レンズで集光されて、さらに光沢面の斜面１０ｂで略直角下方に反射されて照光形成部１０ａを下方に進む。このとき、透光性部材１０の裏面１０-2の側に２本の長溝１０ｄ，１０ｄ’を設け、下方に進む光のうち面方向に拡散する成分をこの長溝１０ｄ，１０ｄ’の側壁で反射させて凹部１０ｅに向かう光成分を増やして、斜面１０ｈをより明るく照光させることができる。
また、凹部１０ｅの傾斜面１０ｈを梨地加工された円筒凹曲面としたので、斜面１０ｈの照光により反射された光を透光性部材１０の正面から見てより広範囲の角度から確認することができる。
そして、表面１０-1の側から見たとき、傾斜面１０ｈによる発光部があたかも透光性部材１０の透明枠内で浮遊したようにすることができる。
【００３８】
尚、本発明は上述例に限ることなく本発明の要旨を逸脱することなくその他種々の構成が採り得ることは勿論である。例えば、上述では照明装置を液晶ディスプレイパネルに適用した例で説明したが、これに限らず、透明又は透光性を有する前面板を必要とする各種の機器、プラズマディスプレイパネル、陰極線管を有する表示装置、デジタルカメラ、デジタルビデオカメラ、携帯情報端末、携帯電話、ゲーム機、その他の種類の機器に対して適用しても勿論よいものである。
また、インジケータ１６とされる発光部が映像表示画面２の下側に配する例で説明したが、これに限らずデザイン上好ましい任意の位置に発光部を設けてよく、この場合凹部１０ｅの斜面１０ｈの表裏面１０-1，１０-2となす傾斜角φは、想定されるユーザの席を勘案して決めることができるものである。
【図面の簡単な説明】
【００３９】
【図１】本発明の一実施の形態によるフロント組立体の例を示す前面側から見た斜視図である。
【図２】フロント組立体の例を示す前面側から見た分解斜視図である。
【図３】本発明の一実施の形態による液晶パネルディスプレイ装置を示す前面側から見た斜視図である。
【図４】図３例の液晶パネルディスプレイ装置を背面側から見た斜視図である。
【図５】本発明の一実施の形態の例による照明装置の照光形成部を、アウターフレームの要部を破断して示しており、Ａは前面側から見た斜視図、Ｂは背面側から見た斜視図である。
【図６】図５照光形成部の、Ａは平面図、Ｂは正面図、Ｃは側断面図で、Ｄは背面図である。
【図７】図５例の照光形成部の形状の説明に供する作成手順（Ａ〜Ｃ）を示す説明図である。
【図８】図７例に続く照光形成部の作成手順（Ｄ〜Ｇ）を示す説明図である。
【図９】図７例の照光形成部の作成手順（Ａ〜Ｃ）に対応する平面図と側断面図を示す説明図である。
【図１０】図８例の照光形成部の作成手順（Ｄ〜Ｇ）に対応する平面図と側断面図を示す説明図である。
【図１１】図８Ｇでの凹部の形状を説明する押し型の例を示し、Ａは斜視図、Ｂは平面図、Ｃは側面図である。
【図１２】図１１例の押し型で形成される凹部の、Ａは平面図、Ｂは側断面図、Ｃは正面図である。
【図１３】切欠き溝の効果を説明する、Ａは切欠き溝なし、Ｂは溝ありの光路シミュレーション結果で、Ｃは光の入射部形状を示す説明図である。
【図１４】照光形成部の形態に対する光路と光の強度分布の、Ａが照光形成部の断面模式図、Ｂが凹部での反射光の説明図、Ｃが反射光の強度分布を説明する模式図である。
【図１５】照光形成部の形態に対する光路と光の強度分布の、Ａが照光形成部の断面模式図、Ｂが凹部での反射光の説明図、Ｃが反射光の強度分布を説明する模式図である。
【図１６】照光形成部の形態に対する光路と光の強度分布の、Ａが照光形成部の断面模式図、Ｂが凹部での反射光の説明図、Ｃが反射光の強度分布を説明する模式図である。
【図１７】照光形成部の形態に対する光路と光の強度分布の、Ａが照光形成部の断面模式図、Ｂが凹部での反射光の説明図、Ｃが反射光の強度分布を説明する模式図である。
【符号の説明】
【００４０】
１０ａ…照光形成部、１０ｂ，１０ｈ…斜面、１０ｅ…凹部、１０ｆ…円筒面凸部、１３…ＬＥＤ（光源）
【図１】
0004735348.tif 000002
【図２】
0004735348.tif 000003
【図３】
0004735348.tif 000004
【図４】
0004735348.tif 000005
【図５】
0004735348.tif 000006
【図６】
0004735348.tif 000007
【図７】
0004735348.tif 000008
【図８】
0004735348.tif 000009
【図９】
0004735348.tif 000010
【図１０】
0004735348.tif 000011
【図１１】
0004735348.tif 000012
【図１２】
0004735348.tif 000013
【図１３】
0004735348.tif 000014
【図１４】
0004735348.tif 000015
【図１５】
0004735348.tif 000016
【図１６】
0004735348.tif 000017
【図１７】
0004735348.tif 000018